(57)【要約】【課題】  管理者が記入シートに記載する質問内容と回答の選択肢を容易に登録し、ユーザーがその記入シートにチェックして回答した回答シートをスキャナから読み込ませると、そのユーザーの回答内容が個人情報としてデータベースに記憶され、後で個人情報参照端末から個人情報を参照することが出来る。【解決手段】  回答前の元画像データを記憶しておき、ユーザーが記入シートに回答を記入し、スキャナから読み込ませると、回答画像データの所定の位置の画像から識別番号を検出し、元画像データと回答画像データを比較し、記入シートのどの部分にチェックされたかを検出し、チェック項目に対応する情報をユーザーの個人情報としてデータベースに登録する。【選択図】  図１
2008186257.tif 000002
【特許請求の範囲】
【請求項１】
ユーザーが選択した分類に応じたチェック式の記入シートを印刷し、ユーザーがその記入シートにチェックして回答したものをスキャナから読み込み、そのユーザーが記入シートに回答した内容をデータベースに保存する情報処理システムにおいて、
ユーザーが分類を選択するための操作を行う操作手段と、操作手段から前記操作が行われた時に識別番号を付与する識別番号付与手段と、その分類に対応する記入シートの元画像データを生成する元画像生成手段と、その識別番号とユーザーの対応を記憶する識別番号記憶手段と、その識別番号を印刷用紙の所定の位置に印刷するための画像データを生成し、元画像データに追加する識別番号付加手段と、その識別番号に関係づけて元画像データを記憶する元画像記憶手段と、元画像データを印刷するための制御を行う元画像印刷手段と、ユーザーが記入シートに回答の記入を行った後、回答が記入された記入シートをスキャナから読み込む操作を行うと、回答シートの画像データ（回答画像データ）を生成する回答画像生成手段と、回答画像データの所定の位置の画像から識別番号を検出する識別番号検出手段と、前記識別番号に対応する画像データを元画像記憶手段から読み込み、元画像データと回答画像データを比較し、記入シートのどの部分にチェックされたかを検出するチェック項目検出手段と、チェック項目に対応する情報をユーザーの個人情報として記憶する個人情報記憶手段と、後で個人情報記憶手段に記憶されているユーザーの個人情報を読み出して参照する参照手段を備えた情報処理システム。
【請求項２】
ユーザーが選択した分類に応じたチェック式の記入シートを印刷し、ユーザーがその記入シートにチェックして回答したものをスキャナから読み込み、そのユーザーが記入シートに回答した内容をデータベースに保存する情報処理システムにおいて、
全分類共通の質問内容を記憶しておく共通質問内容記憶手段と、各分類に対応する質問内容を記憶しておく分類別質問内容記憶手段と、ユーザーが分類を選択するための操作を行う操作手段と、操作手段から前記操作が行われた時に識別番号を付与する識別番号付与手段と、共通質問内容記憶手段から全分類共通の質問内容を読み取り、分類別質問内容記憶手段から選択された分類別の質問内容を読み取り、それぞれの質問とそれらの質問に対する回答の選択肢とチェックボックスが描かれた元画像データを生成する元画像生成手段と、元画像データ内のチェックボックスの印字位置を質問内容および回答の選択肢と関連づけて記憶するボックス位置記憶手段と、その識別番号とユーザーの対応を記憶する識別番号記憶手段と、その識別番号を印刷用紙の所定の位置に印刷するための画像データを生成し、元画像データに追加する識別番号付加手段と、その識別番号に関係づけて元画像データを記憶する元画像記憶手段と、元画像データを印刷するための制御を行う元画像印刷手段と、ユーザーが記入シートに回答の記入を行った後、回答が記入された記入シートをスキャナから読み込む操作を行うと、回答シートの画像データ（回答画像データ）を生成する回答画像生成手段と、回答画像データの所定の位置の画像から識別番号を検出する識別番号検出手段と、前記識別番号に対応する画像データを元画像記憶手段から読み込み、元画像データと回答画像データを比較して差分を求め、ボックス位置記憶手段から前記識別番号のチェックボックスの位置を参照し、記入シートのどのチェックボックスにチェックされたかを検出するチェック項目検出手段と、チェック項目に対応する情報をユーザーの個人情報として記憶する個人情報記憶手段と、後で個人情報記憶手段に記憶されているユーザーの個人情報を読み出して参照する参照手段を備えた情報処理システム。
【請求項３】
請求項１および２記載の情報処理システムにおいて、管理者が各分類の質問内容または共通の質問内容を追加、削除、変更する質問内容編集手段を備えた情報処理システム。
【発明の詳細な説明】
【技術分野】
【０００１】
本発明は、ユーザーが選択した分類に応じたチェック式の記入シートを印刷し、ユーザーがその記入シートにチェックして回答したものをスキャナから読み込み、そのユーザーが記入シートに回答した内容をデータベースに保存する情報処理システムに関する。
【背景技術】
【０００２】
従来、公開番号特開平６−１８７４８５の特許のような画像比較装置が提案されていた。この画像比較装置は、原稿を走査して読み取り、読み取った画像情報（回答画像）を文字やパターンとして認識し、予め登録しておいた比較対象（元画像）と比較し、比較結果を表示するようなシステムが存在した。この画像比較装置を利用し、テストの正解が書かれた画像（元画像）を比較対象として登録しておき、試験を受けた人の回答用紙を原稿（回答画像）として読み取ることでテストの採点等の作業を自動的に行うことが可能になる。
【０００３】
また、公開番号特開平１０−２５５０２７の特許のような画像処理装置が提案されていた。この画像処理装置は、原本を印刷する際に、原本の特定ができる文章ＩＤ番号を記述したマークシートをつけて印刷出力し、その電子イメージ情報（元画像）を原稿の原本として保存しておく。そして、印刷出力された原稿に手書きで追記されたものをドキュメントフィーダで連続的に読み込んだ画像（記入画像）のマークシートからＩＤ番号を自動的に読み出し、そのＩＤ番号に相当する原本（元画像）をファイルデータから検索し、この検索された原本（元画像）と読み込まれた原稿（記入画像）とを比較し、追記による差異があるページだけを新原稿として記憶する。そして、追記のあるページを出力する際には新原稿のファイルにアクセスして元画像を印刷し、追記のないページは原本のファイルにアクセスして記入画像を印刷する。
【特許文献１】特開平６−１８７４８５号公報
【特許文献２】特開平１０−２５５０２７号公報
【発明の開示】
【発明が解決しようとする課題】
【０００４】
しかしながら、従来の画像比較装置は、記憶しておいた元画像とスキャナ等で読み込んだ回答画像を比較し、比較結果の表示を行うが、比較結果から得られる情報を個人情報として利用することは出来なかった。
【０００５】
また、従来の画像処理装置は追記のないページは元画像を印刷し、追記のあるページは記入画像を印刷することで追記のないページは複写による二次画像ではなく元画像を使用した一次画像を得ることができるが、比較結果から得られる情報を個人情報として利用することは出来なかった。
【課題を解決するための手段】
【０００６】
上述した課題を解決するために、本発明は、
ユーザーが分類を選択するための操作を行う操作手段と、操作手段から前記操作が行われた時に識別番号を付与する識別番号付与手段と、その分類に対応する記入シートの元画像データを生成する元画像生成手段と、その識別番号とユーザーの対応を記憶する識別番号記憶手段と、その識別番号を印刷用紙の所定の位置に印刷するための画像データを生成し、元画像データに追加する識別番号付加手段と、その識別番号に関係づけて元画像データを記憶する元画像記憶手段と、元画像データを印刷するための制御を行う元画像印刷手段と、ユーザーが記入シートに回答の記入を行った後、回答が記入された記入シートをスキャナから読み込む操作を行うと、回答シートの画像データ（回答画像データ）を生成する回答画像生成手段と、回答画像データの所定の位置の画像から識別番号を検出する識別番号検出手段と、前記識別番号に対応する画像データを元画像記憶手段から読み込み、元画像データと回答画像データを比較し、記入シートのどの部分にチェックされたかを検出するチェック項目検出手段と、チェック項目に対応する情報をユーザーの個人情報として記憶する個人情報記憶手段と、後で個人情報記憶手段に記憶されているユーザーの個人情報を読み出して参照する参照手段を備えた情報処理システムを考案し、
元画像と回答画像を比較し、差分から記入シートのどの部分にチェックされたかを検出し、チェックされた部分の情報を個人情報としてデータベースに記憶しておき、後で個人情報参照端末からその個人情報の参照を可能にする。
【０００７】
また、上述した課題を解決するために、本発明は、全分類共通の質問内容を記憶しておく共通質問内容記憶手段と、各分類に対応する質問内容を記憶しておく分類別質問内容記憶手段と、ユーザーが分類を選択するための操作を行う操作手段と、操作手段から前記操作が行われた時に識別番号を付与する識別番号付与手段と、共通質問内容記憶手段から全分類共通の質問内容を読み取り、分類別質問内容記憶手段から選択された分類別の質問内容を読み取り、それぞれの質問とそれらの質問に対する回答の選択肢とチェックボックスが描かれた元画像データを生成する元画像生成手段と、元画像データ内のチェックボックスの印字位置を質問内容および回答の選択肢と関連づけて記憶するボックス位置記憶手段と、その識別番号とユーザーの対応を記憶する識別番号記憶手段と、その識別番号を印刷用紙の所定の位置に印刷するための画像データを生成し、元画像データに追加する識別番号付加手段と、その識別番号に関係づけて元画像データを記憶する元画像記憶手段と、元画像データを印刷するための制御を行う元画像印刷手段と、ユーザーが記入シートに回答の記入を行った後、回答が記入された記入シートをスキャナから読み込む操作を行うと、回答シートの画像データ（回答画像データ）を生成する回答画像生成手段と、回答画像データの所定の位置の画像から識別番号を検出する識別番号検出手段と、前記識別番号に対応する画像データを元画像記憶手段から読み込み、元画像データと回答画像データを比較して差分を求め、ボックス位置記憶手段から前記識別番号のチェックボックスの位置を参照し、記入シートのどのチェックボックスにチェックされたかを検出するチェック項目検出手段と、チェック項目に対応する情報をユーザーの個人情報として記憶する個人情報記憶手段と、後で個人情報記憶手段に記憶されているユーザーの個人情報を読み出して参照する参照手段を備えた情報処理システムを考案し、
情報処理システムの管理者が任意の形式の記入シートを作成することを可能にする。また、元画像と回答画像を比較し、差分から記入シートのどの部分にチェックされたかを検出し、チェックされた部分の情報を個人情報としてデータベースに記憶しておき、後で個人情報参照端末からその個人情報の参照を可能にする。
【発明の効果】
【０００８】
本発明の情報処理システムによれば、ユーザーが選択した分類に応じた記入シートを印刷し、ユーザーがその記入シートにチェックして回答した回答シートをスキャナから読み込ませると、そのユーザーの回答内容が個人情報としてデータベースに記憶され、後で個人情報参照端末から個人情報を参照することが出来るので、従来個人情報の入力をキーボードやマウス等のユーザーインターフェースで行っていた行為を自動化することができる。
【０００９】
また、本発明の別な情報処理システムによれば、情報処理システムの管理者が記入シートに記載する質問内容と回答の選択肢を入力して登録することができるので、システムによって事前に決められた形式の記入シートだけでなく、任意の形式の記入シートを作成することが出来、後で個人情報参照端末からその任意の形式の個人情報を参照することが出来るという効果がある。
【発明を実施するための最良の形態】
【００１０】
（実施例１）
本発明の印刷装置の実施例１を図１〜図５を使って説明する。図１は実施例１の情報処理システムの構成を表すブロック図、図２は実施例１のユーザーが診療科目を選択する時の操作部の画面表示を表わす図、図３は実施例１の情報処理システムの操作部からユーザーが診療科目を選択した時の動作を表すフローチャート、図４は実施例１の情報処理システムのスキャナ回答用紙を読み込んだ時の動作を表すフローチャート、図５は実施例１の原稿用紙（元画像）と回答用紙（回答画像）を表わす図である。
【００１１】
本実施例では、本発明の情報処理システムが総合病院で使用され、記入シートが問診票である場合の例を示す。
【００１２】
図１において、１００は本発明の情報処理システムである。１０２は患者の個人情報を参照する個人情報参照端末、１０３は患者が分類の選択を行う操作手段であるところの操作部、１０４は患者が操作部１０３から選択した診療科目に対応する問診票を印刷する印刷エンジン、１０５は患者が回答を記入した問診票を読み込むスキャナ、１０６は画像データの処理を行う画像コントローラである。
【００１３】
操作部１０３、印刷エンジン１０４、スキャナ１０５は画像コントローラ１０６と専用のインタフェースで接続されており、個人情報参照端末１０２と画像コントローラ１０６はネットワークで接続されている。
【００１４】
画像コントローラ１０６の１１１は画像コントローラ１０６全体の制御を行うＣＰＵ、１１２はＣＰＵ１１１が実行する制御プログラムを記憶しているＲＯＭ、１１３は制御プログラムが使用する不揮発性の情報を記憶しているハードディスク（ＨＤ）、１１４は制御プログラムが使用する揮発性の情報を記憶しているＲＡＭ、１１５は操作部１０３との間でデータ通信を行う操作部インタフェース（操作部ＩＦ）、１１６は印刷エンジン１０４との間でデータ通信を行うプリントインタフェース（プリントＩＦ）、１１７はスキャナ１０５との間でデータ通信を行うスキャナインタフェース（スキャナＩＦ）、１１８はネットワークとの間でデータ通信を行うネットワークインタフェース（ネットワークＩＦ）である。
【００１５】
ＲＯＭ１１２内の１３１は操作部１０３から診療科目の選択操作が行われた時に識別番号を付与する識別番号付与手段、１３２は患者が選択した診療科目を読み取り、その診療科目に対応する問診票の元画像データを生成する元画像生成手段、１３３は識別番号を印刷用紙の所定の位置に印刷するための画像データを生成し、元画像データに追加する識別番号付加手段、１３４は元画像データを印刷するための制御を行う元画像印刷手段、１３５は回答を記入した問診票（回答用紙）をスキャナから読み込む操作を行うと、回答用紙の画像データ（回答画像データ）を生成する回答画像生成手段、１３６は回答画像データの所定の位置の画像から識別番号を検出する識別番号検出手段、１３７は識別番号に対応する元画像データを読み込み、元画像データと回答画像データを比較し、問診票のどの部分にチェックされたかを検出するチェック項目検出手段である。
【００１６】
ＨＤ１１３内の１５１は識別番号と患者の対応を記憶する識別番号記憶手段、１５２は識別番号に関係づけて元画像データを記憶する元画像記憶手段、１５３はチェック項目に対応する情報を患者の個人情報として記憶する個人情報記憶手段、１５４は問診票に記載される質問データを記憶している質問データ記憶手段である。
【００１７】
ＲＡＭ１１４内の１７１は元画像データや回答画像データを記憶する画像バッファである。
【００１８】
まず、患者が病院の受付に来ると、病院の受付係が患者から氏名、年齢、性別、保険者番号、住所、電話番号等の個人情報を入手し、操作部６０２からそれらの情報を入力すると、個人情報記憶手段６９１に新しい患者情報を追加登録し、前記氏名等の情報を記憶する。
【００１９】
次に、患者または病院の受付係が本発明の情報処理システム６００の操作部６０３から診察を受けたい診療科目を選択した時の動作について、図３を用いて説明する。操作部１０３に表示される選択画面を図２に示す。操作部１０３から入力された情報や操作部１０３に表示する情報は画像コントローラ１０６が処理する。操作部１０３から入力された情報は操作部ＩＦ１１５を介してＣＰＵ１１１に伝えられ、ＣＰＵ１１１は入力された情報に従って次に操作部１０３の画面に表示する情報を操作部ＩＦ１１５を介して送信する。操作部１０３から個人情報が入力されると、ＣＰＵ１１１はその情報を読み取り、その情報を個人別にＨＤ１１３内の個人情報記憶手段１５３に記憶する。次に、操作部１０３から診察を受けたい診療科目が選択されると（Ｓ３０１）、ＣＰＵ１１１は識別番号付与手段１３２を起動して識別番号を付与し（Ｓ３０２）、その識別番号と個人情報との対応を識別番号記憶手段１５１に記憶する（Ｓ３０３）。識別番号は一定期間重ならないような番号であれば何でも良い。本発明の情報処理システムが病院で使用される場合は問診票の回答が数分後には得られるので一日に発行する問診票の識別番号が重ならなければ良く、次の日には前の日に使用した識別番号が使用されても別な問診票として認識されるので問題ない。次に、ＣＰＵ１１１は元画像生成手段１３２を起動してＨＤ１１３内の質問データ記憶手段１５４に記憶してある問診票に記載される質問データを読み込み、問診票の画像データを生成する（Ｓ３０４）。問診票の質問データは複数の質問内容と回答の選択肢をテキストデータで記憶しており、元画像生成手段１３１はそのテキストデータを読み込んで図５に示すような元画像データを生成し、ＲＡＭ１１４内の画像バッファ１７１に記憶する。次に、ＣＰＵ１１１は識別番号付加手段１３３を起動して前記識別番号を問診票の所定の位置に印刷するための画像データを生成し、画像バッファ１７１の元画像データに追加する（Ｓ３０５）。次に、ＣＰＵ１１１は画像バッファ１７１内の元画像データを前記識別番号に関連づけてＨＤ１１３内の元画像記憶手段１５２に記憶する（Ｓ３０６）。次に、ＣＰＵ１１１は元画像印刷手段１３４を起動して画像バッファ１７１内の元画像データをプリントＩＦ１１６を介して印刷エンジン１０４に送信する。印刷エンジン１０４は画像コントローラ１０６から画像データを受信すると用紙カセットから印刷用紙を取り込み、画像データをトナーやインク等によって転写して印刷し、排紙トレイに排紙する（Ｓ３０７）。元画像印刷手段１３４はそのページの印刷が終わると画像バッファ１７１から元画像データを削除する。実施例１の情報処理システム１００の操作部１０３から診療科目を選択した時の動作を表すフローチャートを図３に示す。
【００２０】
次に、患者が前記問診票に回答を記入し、その用紙（回答用紙）を情報処理システム１００のスキャナ１０５にセットし、操作部１０３から回答用紙の読み込み操作を行った時の動作について、図４を用いて説明する。患者が選択した項目のチェックボックスには図５に示すようにチェックが記入されている。操作部１０３から回答用紙を読み込む操作を行うと（Ｓ４０１）、ＣＰＵ１１１は操作部ＩＦ１１５を介してその情報を受信する。次に、ＣＰＵ１１１は回答画像生成手段１３５を起動してスキャナＩＦ１１７経由でスキャナ１０５を操作して回答用紙を読み込み、回答用紙の画像データ（回答画像データ）を画像バッファ１７１に記憶する（Ｓ４０２）。次に、ＣＰＵ１１１は識別番号検出手段を起動して、画像バッファ１７１の回答画像の所定の位置に描かれている識別番号の画像を文字認識プログラムによって解析し、識別番号を検出する（Ｓ４０３）。もし、識別番号が検出できなかった場合は（Ｓ４０４−ＮＯ）操作部１０３にエラーを表示して（Ｓ４０５）処理を終える。次に、ＣＰＵ１１１は検出した識別番号に対応する元画像データを元画像記憶手段１５２から画像バッファ１７１に読み込む（Ｓ４０６）。この段階では画像バッファ１７１には元画像データと回答画像データが記憶されている。次に、ＣＰＵ１１１はチェック項目検出手段１３７を起動して画像バッファ１７１内の元画像データと回答画像データを比較して差分を求め、どのチェックボックスにチェックされているかを検出する（Ｓ４０７）。それから識別番号記憶手段１５１を参照してその識別番号に対応する患者を調べ、チェックされた項目に対応する情報を個人情報記憶手段１５３内のその患者の個人情報に書き込む（Ｓ４０８）。実施例１の情報処理システム１００のスキャナから回答用紙を読み込んだ時の動作を表すフローチャートを図４に示す。
【００２１】
次に、病院の医師が患者の個人情報を参照するために個人情報参照端末１０２から操作を行った時の動作について説明する。画像コントローラ１０６はネットワークを介して個人情報参照端末１０２とデータの通信を行う。個人情報参照端末１０２から個人情報の参照要求があるとＣＰＵ１１１はネットワークＩＦ１１８を介してその参照要求を受信する。ＣＰＵ１１１は参照要求で指定された個人の個人情報をＨＤ１１３内の個人情報記憶手段１５３から読み取り、ネットワークＩＦ１１８介してその個人情報を個人情報参照端末１０２に送信する。個人情報参照端末１０２はその個人情報を受信し、画面に個人情報を表示する。
【００２２】
（実施例２）
本発明の印刷装置の実施例２を図６〜図８を使って説明する。図６は実施例２の情報処理システムの構成を表すブロック図、図７は実施例２の情報処理システムの操作部からユーザーが診療科目を選択した時の動作を表すフローチャート、図８は実施例２の情報処理システムのスキャナ回答用紙を読み込んだ時の動作を表すフローチャートである。
【００２３】
本実施例では、本発明の情報処理システムが総合病院で使用され、記入シートが問診票である場合の例を示す。
【００２４】
図６において、６００は本発明の情報処理システムである。６０１は患者の個人情報を蓄積し、個人情報の書き込み要求や参照要求を受け付け、個人情報の管理を行う個人情報管理サーバー、６０２は患者の個人情報を参照する個人情報参照端末、６０３は患者が分類の選択を行う操作手段であるところの操作部、６０４は患者が操作部６０３から選択した診療科目に対応する問診票を印刷する印刷エンジン、６０５は患者が回答を記入した問診票を読み込むスキャナ、６０６は画像データの処理を行う画像コントローラである。
【００２５】
操作部６０３、印刷エンジン６０４、スキャナ６０５は画像コントローラ６０６と専用のインタフェースで接続されており、個人情報管理サーバー６０１と個人情報参照端末６０２と画像コントローラ６０６はネットワークで接続されている。
【００２６】
個人情報管理サーバー６０１内の６９１は患者の個人情報を記憶する個人情報記憶手段、６９２は全診療科目共通の質問データを記憶する共通質問データ記憶手段、６９３は診療科目別の質問データを記憶する診療科目別質問データ記憶手段、である。
【００２７】
画像コントローラ６０６の６１１は画像コントローラ６０６全体の制御を行うＣＰＵ、６１２はＣＰＵ６１１が実行する制御プログラムを記憶しているＲＯＭ、６１３は制御プログラムが使用する不揮発性の情報を記憶しているハードディスク（ＨＤ）、６１４は制御プログラムが使用する揮発性の情報を記憶しているＲＡＭ、６１５は操作部６０３との間でデータ通信を行う操作部インタフェース（操作部ＩＦ）、６１６は印刷エンジン６０４との間でデータ通信を行うプリントインタフェース（プリントＩＦ）、６１７はスキャナ６０５との間でデータ通信を行うスキャナインタフェース（スキャナＩＦ）、６１８はネットワークとの間でデータ通信を行うネットワークインタフェース（ネットワークＩＦ）である。
【００２８】
ＨＤ６１３内の６５１は識別番号と患者の対応を記憶する識別番号記憶手段、６５２は識別番号に関係づけて元画像データを記憶する元画像記憶手段、６５３は識別番号に対応する問診票のチェックボックスの印字位置を質問内容と関係づけて記憶するボックス位置記憶手段である。
【００２９】
ＲＯＭ６１２内の６３１は操作部６０３から診療科目の選択操作が行われた時に識別番号を付与する識別番号付与手段、６３２は患者が選択した診療科目を読み取り、その診療科目に対応する問診票の元画像データを生成する元画像生成手段、６３３は識別番号を印刷用紙の所定の位置に印刷するための画像データを生成し、元画像データに追加する識別番号付加手段、６３４は元画像データを印刷するための制御を行う元画像印刷手段、６３５は回答を記入した問診票（回答用紙）をスキャナから読み込む操作を行うと、回答用紙の画像データ（回答画像データ）を生成する回答画像生成手段、６３６は回答画像データの所定の位置の画像から識別番号を検出する識別番号検出手段、６３７は識別番号に対応する元画像データを読み込み、元画像データと回答画像データを比較し、問診票のどの部分にチェックされたかを検出するチェック項目検出手段である。
【００３０】
ＲＡＭ６１４内の６７１は元画像データや回答画像データを記憶する画像バッファである。
【００３１】
まず事前に、医師やその他の病院関係者が問診票に記載する共通質問と診療科目別質問の内容を決定し、個人情報参照端末６０２または個人情報管理サーバー６０１からその内容を入力する。すると共通質問の内容は個人情報管理サーバー６０１内の共通質問データ記憶手段６９２に記憶し、診療科目別質問の内容は診療科目別質問データ記憶手段６９３に記憶する。質問データは質問内容と回答の選択肢から成り、共通質問データ記憶手段６９２と診療科目別質問データ記憶手段６９３は問診票の質問データをテキストデータで記憶している。
【００３２】
次に、患者が病院の受付に来ると、病院の受付係が患者から氏名、年齢、性別、保険者番号、住所、電話番号等の個人情報を入手し、操作部６０２からそれらの情報を入力すると、ＣＰＵ６１１はその入力を検出し、ネットワークＩＦ６１８を介して個人情報管理サーバー６０１に個人情報の登録要求を送信する。個人情報管理サーバー６０１はその登録要求を受信すると、個人情報記憶手段６９１に新しい患者情報を追加登録し、前記氏名等の情報を記憶する。
【００３３】
次に、患者または病院の受付係が本発明の情報処理システム６００の操作部６０３から診察を受けたい診療科目を選択した時の動作について、図７を用いて説明する。操作部６０３に表示される選択画面を図２に示す。操作部６０３から入力された情報や操作部６０３に表示する情報は画像コントローラ６０６が処理する。操作部６０３から入力された情報は操作部ＩＦ６１５を介してＣＰＵ６１１に伝えられ、ＣＰＵ６１１は入力された情報に従って次に操作部６０３の画面に表示する情報を操作部ＩＦ６１５を介して送信する。操作部６０３から個人情報が入力されると、ＣＰＵ６１１はその情報を読み取り、その情報をネットワークＩＦ６１８を制御して個人情報管理サーバー６０１に送信し、の個人情報記憶手段６５３に記憶する。次に、操作部６０３から診察を受けたい診療科目が選択されると（Ｓ７０１）、ＣＰＵ６１１は識別番号付与手段６３２を起動して識別番号を付与し（Ｓ７０２）、その識別番号と個人情報との対応を識別番号記憶手段６５１に記憶する（Ｓ７０３）。識別番号は一定期間重ならないような番号であれば何でも良い。本発明の情報処理システムが病院で使用される場合は問診票の回答が数分後には得られるので一日に発行する問診票の識別番号が重ならなければ良く、次の日には前の日に使用した識別番号が使用されても別な問診票として認識されるので問題ない。次に、ＣＰＵ６１１は元画像生成手段６３２を起動し、ネットワークＩＦ６１８を制御して個人情報管理サーバー６０１に質問データ読み出し要求を送る。質問データ読み出し要求には診療科目を表わすデータが含まれている。個人情報管理サーバー６０１は質問データ読み出し要求を受信すると、共通質問データ記憶手段６９２から共通質問データを読み出し、診療科目別データ記憶手段６９３から指定された診療科目の診療科目別質問データを読み出し、画像コントローラ６０６に応答データを送信する。ＣＰＵ６１１はその応答データをネットワークＩＦ６１８を介して受信すると応答データから質問データを読み込み、問診票の元画像データを生成する（Ｓ７０４）。生成した元画像データはＲＡＭ６１４内の画像バッファ６７１に記憶する。問診票の元画像データは図５に示すように質問内容と回答の選択肢と患者が回答を記入するためのチェックボックスから成る。元画像データ生成手段６３２は元画像データを生成する際にチェックボックスの印字位置を質問内容および回答の選択肢と関連づけてボックス位置記憶手段６５２に記憶する。（Ｓ７０５）。次に、ＣＰＵ６１１は識別番号付加手段６３３を起動して前記識別番号を問診票の所定の位置に印刷するための画像データを生成し、画像バッファ６７１の元画像データに追加する（Ｓ７０６）。次に、ＣＰＵ６１１は画像バッファ６７１内の元画像データを前記識別番号に関連づけてＨＤ６１３内の元画像記憶手段６５２に記憶する（Ｓ７０７）。次に、ＣＰＵ６１１は元画像印刷手段６３４を起動して画像バッファ６７１内の元画像データをプリントＩＦ６１６を介して印刷エンジン６０４に送信する。印刷エンジン６０４は画像コントローラ６０６から画像データを受信すると用紙カセットから印刷用紙を取り込み、画像データをトナーやインク等によって転写して印刷し、排紙トレイに排紙する（Ｓ７０８）。元画像印刷手段６３４はそのページの印刷が終わると画像バッファ６７１から元画像データを削除する。実施例２の情報処理システム６００の操作部６０３から診療科目を選択した時の動作を表すフローチャートを図７に示す。
【００３４】
次に、患者が前記問診票に回答を記入し、その用紙（回答用紙）を情報処理システム６００のスキャナ６０５にセットし、操作部６０３から回答用紙の読み込み操作を行った時の動作について、図８を用いて説明する。患者が選択した項目のチェックボックスには図５に示すようにチェックが記入されている。操作部６０３から回答用紙を読み込む操作を行うと（Ｓ８０１）、ＣＰＵ６１１は操作部ＩＦ６１５を介してその情報を受信する。次に、ＣＰＵ６１１は回答画像生成手段６３５を起動してスキャナＩＦ６１７経由でスキャナ６０５を操作して回答用紙を読み込み、回答用紙の画像データ（回答画像データ）を画像バッファ６７１に記憶する（Ｓ８０２）。次に、ＣＰＵ６１１は識別番号検出手段を起動して、画像バッファ６７１の回答画像の所定の位置に描かれている識別番号の画像を文字認識プログラムによって解析し、識別番号を検出する（Ｓ８０３）。もし、識別番号が検出できなかった場合は（Ｓ８０４−ＮＯ）操作部６０３にエラーを表示して（Ｓ８０５）処理を終える。次に、ＣＰＵ６１１は検出した識別番号に対応する元画像データを元画像記憶手段６５２から画像バッファ６７１に読み込む（Ｓ８０６）。この段階では画像バッファ６７１には元画像データと回答画像データが記憶されている。次に、ＣＰＵ６１１はチェック項目検出手段６３７を起動して画像バッファ６７１内の元画像データと回答画像データを比較して差分を求める（Ｓ８０７）。それから、ボックス位置記憶手段６５２から前記識別番号のチェックボックスの位置を参照し、どのチェックボックスにチェックされているかを検出し（Ｓ８０８）、チェックされたチェックボックスに対応する質問内容と回答の選択肢を調べ、また、識別番号記憶手段６５１を参照してその識別番号に対応する患者を調べ、チェックされた項目に対応する情報をネットワークＩＦ６１８を介して個人情報管理サーバー６０１に個人情報の書き込み要求を送信する。個人情報管理サーバー６０１は個人情報の書き込み要求を受信すると、その内容を個人情報を個人情報記憶手段６９１に書き込む（Ｓ８０９）。実施例２の情報処理システム６００のスキャナから回答用紙を読み込んだ時の動作を表すフローチャートを図８に示す。
【００３５】
次に、病院の医師が患者の個人情報を参照するために個人情報参照端末６０２から操作を行った時の動作について説明する。画像コントローラ６０６はネットワークを介して個人情報参照端末６０２とデータの通信を行う。個人情報参照端末６０２から個人情報の参照要求があるとＣＰＵ６１１はネットワークＩＦ６１８を介してその参照要求を受信する。ＣＰＵ６１１は参照要求で指定された個人の個人情報をＨＤ６１３内の個人情報記憶手段６５３から読み取り、ネットワークＩＦ６１８介してその個人情報を個人情報参照端末６０２に送信する。個人情報参照端末６０２はその個人情報を受信し、画面に個人情報を表示する。
【図面の簡単な説明】
【００３６】
【図１】実施例１の情報処理システムの構成を表すブロック図。
【図２】実施例１のユーザーが診療科目を選択する時の操作部の画面表示を表わす図。
【図３】実施例１の情報処理システムの操作部からユーザーが診療科目を選択した時の動作を表すフローチャート。
【図４】実施例１の情報処理システムのスキャナ回答用紙を読み込んだ時の動作を表すフローチャート。
【図５】実施例１の原稿用紙（元画像）と回答用紙（回答画像）を表わす図。
【図６】実施例２の情報処理システムの構成を表すブロック図。
【図７】実施例２の情報処理システムの操作部からユーザーが診療科目を選択した時の動作を表すフローチャート。
【図８】実施例２の情報処理システムのスキャナ回答用紙を読み込んだ時の動作を表すフローチャート。
【符号の説明】
【００３７】
１００  情報処理システム
１０２  個人情報参照端末
１０３  操作部
１０４  印刷エンジン
１０５  スキャナ
１０６  画像コントローラ
１１１  ＣＰＵ
１１２  ＲＯＭ
１１３  ハードディスク（ＨＤ）
１１４  ＲＡＭ
１１５  操作部インタフェース（操作部ＩＦ）
１１６  プリントインタフェース（プリントＩＦ）
１１７  スキャナインタフェース（スキャナＩＦ）
１１８  ネットワークインタフェース（ネットワークＩＦ）
１３１  識別番号付与手段
１３２  元画像生成手段
１３３  識別番号付加手段
１３４  元画像印刷手段
１３５  回答画像生成手段
１３６  チェック項目検出手段
１５１  識別番号記憶手段
１５２  元画像記憶手段
１５３  個人情報記憶手段
１５４  質問データ記憶手段
１７１  画像バッファ
６００  情報処理システム
６０１  個人情報管理サーバー
６０２  個人情報参照端末
６０３  操作部
６０４  印刷エンジン
６０５  スキャナ
６０６  画像コントローラ
６９１  個人情報記憶手段
６９２  共通質問データ記憶手段
６９３  診療科目別質問データ記憶手段
６１１  ＣＰＵ
６１２  ＲＯＭ
６１３  ハードディスク（ＨＤ）
６１４  ＲＡＭ
６１５  操作部インタフェース（操作部ＩＦ）
６１６  プリントインタフェース（プリントＩＦ）
６１７  スキャナインタフェース（スキャナＩＦ）
６１８  ネットワークインタフェース（ネットワークＩＦ）
６５１  識別番号記憶手段
６５２  元画像記憶手段
６５３  ボックス位置記憶手段
６３１  識別番号付与手段
６３２  識別番号付加手段
６３４  元画像印刷手段
６３５  回答画像生成手段
６３６  識別番号検出手段
６３７  チェック項目検出手段
６７１  画像バッファ
【図１】
2008186257.tif 000003
【図２】
2008186257.tif 000004
【図３】
2008186257.tif 000005
【図４】
2008186257.tif 000006
【図５】
2008186257.tif 000007
【図６】
2008186257.tif 000008
【図７】
2008186257.tif 000009
【図８】
2008186257.tif 000010